(57)【要約】【課題】トイレ、キッチン、洗面台、風呂などの設備ユニットを、居室内で選択して、使用可能とするシステムで、排水部の排水や汚物の流下による臭気などの点について問題がない、住宅用移動式給排水設備システムを提供する。【解決手段】住宅における床又は壁に埋め込まれ、給水配管１２、給湯配管１３及び排水配管１４の各接続部１６、１７、１８と、位置合わせガイド部１５が各々の埋設ユニットにおいて、同一の配列状態で配設された複数の埋設ユニット１１と、該埋設ユニットに対応する位置に配設された給水、給湯、排水配管の各接続部６，７，８と、位置合わせガイド部５とが各々の設備ユニットにおいて同一の配列状態で配設された複数の設備ユニット１からなり、位置合わガイド部、各接続部が容易に接続、着脱が可能で、居住空間内で移動させて使用可能にされていることを特徴とする住宅用移動式給排水設備システム。【選択図】  図３
2004176305.tif 000002
【特許請求の範囲】
【請求項１】
住宅における床又は壁に埋め込まれ、給水配管、給湯配管及び排水配管の各接続部と、位置合わせガイド部とが各々の埋設ユニットにおいて同一の配列状態で配設された複数の埋設ユニットと、該埋設ユニットの各接続部と、位置合わせガイド部に対応する位置に配設された給水配管、給湯配管及び排水配管の各接続部と、位置合わせガイド部とが各々の設備ユニットにおいて同一の配列状態で配設された複数の設備ユニットからなり、複数の設備ユニットのいずれもが複数の埋設ユニットのいずれとも、位置合わせガイド部同士を着脱自在に係合させることにより、居住空間内で移動させて使用可能になされていることを特徴とする住宅用移動式給排水設備システム。
【請求項２】
上記複数の設備ユニットが、少なくとも、洗面台、風呂、トイレ、キッチンのユニットの中から選択される異種又は同種のものからなることを特徴とする請求項１記載の住宅用移動式給排水設備システム。
【請求項３】
上記複数の設備ユニットの排水配管にトラップを設け、埋設ユニットに設けられた排水接続用管との接続部に、シール材を介在させ、気密状態かつ一体管路として接続し、埋設ユニットの排水配管の開口に、未使用時用の気密性を有する防臭蓋を備えたことを特徴とする請求項１又は２記載の住宅用移動式給排水設備システム。
【発明の詳細な説明】
【０００１】
【発明の属する技術分野】
本発明は、住宅用移動式給排水設備システムに関するものである。
【０００２】
【従来の技術】
近年、主婦が炊事作業中でも家族とコミュニケーションを取る目的で、対面式カウンターキッチンが多く採用されており、なかでも、アイランド型と呼ばれる、流し台、コンロ、調理台等が壁から完全に独立した形状のキッチンが好んで採用されている。しかし、この形態のキッチンの場合、壁からキッチン装置を独立させることから、不使用時にはかえって居住空間を圧迫するので、居住空間のゆとり確保の目的でキッチンを容易に脱着して移動可能とする要望が出てきている。
また、スペースの観点の他、住居内の自在レイアウトの要望など、諸事情によりトイレ、キッチン、洗面台、風呂などの給排水設備を、居室内で選択して使用可能とするシステムが求められて来ている。
【０００３】
この様な目的で、設備ユニットを移動可能にした、介護設備の移動型手洗装置（例えば、特許文献１参照）や、移動式トイレなどが開発されている（例えば、特許文献２参照）が、いずれの場合も給水又は排水は機器内のタンクを利用し、汚物を含む場合がある排水もタンク内に貯留し、別の場所へ移動した後に捨てるといった形態となっている。これらの設備ユニットには、タンクの給水の手間が掛かる、タンクが重くて取り扱い性が悪い、汚物を捨てるのに手間が要る、非衛生的であるなどの問題点があった。
【０００４】
この様な問題点を解決する為に、床下に給湯管、給水管及び排水管と接続できる床下ユニットを設け、必要に応じて、給水処理部分を移動可能とした移動式給排水システム、例えば、理美容院などで使用することができる移動設置可能な洗浄装置が提案されている（例えば、特許文献３参照）。
しかし、この発明は、理容美容院などで使用する洗浄装置を対象として提案されたものであるので、トイレ、キッチン、洗面台、風呂などの給排水設備を、居室内で選択して、使用可能とするシステムとしては考慮されていない。すなわち、複数の設備ユニットのいずれもが、複数の埋設ユニットとのいずれとも容易に接続できる訳ではなく、一方排水部の排水や汚物の流下による臭気の発生などの点で改善の余地があった。
【０００５】
すなわち、この発明においては、給排水設備側の排水管から埋設側接続ユニットに設けられた排水受け部に排水を吐出し、排水受け部の下流にトラップを設けて排水枝管に接続する方法を採用しているが、上記接続方法では、排水を排水受け部に開放的に吐出して、排水受け部でそれを受け、トラップを備えた排水口に流下させる為、汚物の流下に対して臭気等の問題が起きる可能性がある。また、トラップで詰まりが発生した場合、排水受け部があふれ、居室の床にあふれ出すまで詰まりに気づかず、床上に大量の水を排出する可能性がある。更に、移動式給排水システムの埋設ユニットの使用頻度が低いユニットでトラップの封水が蒸発した場合、下水管路の臭気が排水管を通って室内に流入する恐れがある。また更に、トイレ、洗面台、キッチンなど、給排水設備側の用途により適応可能なトラップが異なるため、埋設ユニットにトラップを設けると、ユニットの用途が限定されシステムの簡便性、利便性に欠ける。
【０００６】
【特許文献１】
特開２００１−１６９９４０号公報（第１頁〜第９頁）
【特許文献２】
特開２００１−３５３０９６号公報（第１頁〜第５頁）
【特許文献３】
特許第２５０２２６１号公報（第１頁〜第７頁）
【０００７】
【発明が解決しようとする課題】
本発明は、上記に鑑み、トイレ、キッチン、洗面台、風呂などの設備ユニットを、居住空間内で移動させて、使用可能とするシステムであり、複数の設備ユニットのいずれもが複数の埋設ユニットのいずれとも接続が容易で、排水部の排水や汚物の流下による臭気などの点について問題がない、住宅用移動式給排水設備システムを提供することを目的とする。
【０００８】
【課題を解決するための手段】
本発明は、上記目的を達成するためになされたものであり、請求項１の発明は、住宅における床又は壁に埋め込まれ、給水配管、給湯配管及び排水配管の各接続部と、位置合わせガイド部とが各々の埋設ユニットにおいて同一の配列状態で配設された複数の埋設ユニットと、該埋設ユニットの各接続部と、位置合わせガイド部に対応する位置に配設された給水配管、給湯配管及び排水配管の各接続部と、位置合わせガイド部とが各々の設備ユニットにおいて同一の配列状態で配設された複数の設備ユニットからなり、複数の設備ユニットのいずれもが複数の埋設ユニットのいずれとも、位置合わせガイド部同士を着脱自在に係合させることにより、居住空間内で移動させて使用可能になされていることを特徴とする住宅用移動式給排水設備システムを提供する。
【０００９】
また、請求項２記載の発明は、上記複数の設備ユニットが、少なくとも、洗面台、風呂、トイレ、キッチンのユニットの中から選択される異種又は同種のものからなることを特徴とする請求項１記載の住宅用移動式給排水設備システムを提供する。
【００１０】
また、請求項３記載の発明は、上記複数の設備ユニットの排水配管にトラップを設け、埋設ユニットに設けられた排水接続用管との接続部に、シール材を介在させ、気密状態かつ一体管路として接続し、埋設ユニットの排水配管の開口に、未使用時用の気密性を有する防臭蓋を備えたことを特徴とする請求項１又は２記載の住宅用移動式給排水設備システムを提供する。
【００１１】
以下、本発明を更に詳細に説明する。
本発明においては、各部屋の必要な位置の床面又は壁面に、複数の埋設ユニットが埋め込まれて設けられる。また、手洗い、トイレ、キッチン等の給排水設備ユニットには、例えばキャスターなどをとりつけて、居住空間内で移動させて使用可能になされる
各々の複数の埋設ユニットには、給水配管、給湯配管及び排水配管の各接続部と、位置合わせガイド部とが同一の配列状態で配設され、複数の設備ユニットには各々、該埋設ユニットの各接続部と、位置合わせガイド部に対応する位置に給水配管、給湯配管及び排水配管の各接続部と、設備ユニットの位置合わせガイド部とが同一の配列状態で配設される。
尚、埋設ユニットにおける位置合わせガイド部は、一般に位置合わせガイドの受け溝として構成される。
【００１２】
埋設ユニット及び設備ユニットには、給水、給湯、排水の３箇所の各接続部と、互いに固定可能なロック機構を備えるなどして、相互に位置合わせおよび簡単に着脱可能な固定機構が設けられている。
上記埋設ユニットの各接続部給水、給湯および排水の３箇所の接続部には継手を介して給水、給湯および排水の配管が接続されており、ユニット同士を接続することにより給排水設備で水および湯の利用が可能となると同時にその排水も排水管路へ排水されるため、水タンクや排水タンクを設ける必要が無く、タンクヘの水の出し入れの手間を労すること無く給排水設備を利用できる。
埋設ユニット側の排水管の管口には、気密性を有する防臭蓋を備え、未使用時には管口を封止可能な構造をとる。
排水接続部については、埋設ユニット側に設けられた排水接続用管口と設備側ユニットに設けられた排水接続用管口の間に、パッキン等のシール材を介在させ管路内が気密性を備えた状態で接続される構造をとる。
パッキンの形態は受け口の内面または差し口の外面に設けられた軸シール形状または、両管口の端面に設置された面シール形状のいずれでも良い。
【００１３】
また、システムに用いる給水給湯配管として、ヘッダー式給水給湯配管を用いても良い。さらに、給水用および給湯用ヘッダーについて予め多めの口数のヘッダーを用い、当初は止水プラグ等で封止しておき、接続ユニットの増設が必要となった際には、多めに設けたヘッダーの口を利用して配管することにより、後のユニット増設が容易に行える様にしても良い。
【００１４】
【発明の実施の形態】
以下、本発明の実施の形態を図面を参照にして説明する。
図１は、本発明に使われる設備ユニットの一例の説明図であり、一般的な台所キッチンの場合を示す模式図である。
図１に示すように、この設備ユニット１には、キャスター１０がとりつけられていて、居住空間内で床９の上を移動させて使用可能にされている。具体的には、給水接続部６、給湯接続部７、排水接続部８の３箇所の各接続部と、位置合わせガイド部５とが設備ユニット１に配設されている。設備ユニット１以外の複数の設備ユニット、つまり、洗面台、風呂、トイレなどの設備ユニットにおいても、給水接続部６、給湯接続部７、排水接続部８の３箇所の各接続部と、位置合わせガイド部５とは、同一の配列状態で配設される。混合水栓２は、給水接続部６、給湯接続部７に、シンク３はトラップ４を通して排水接続部８に各々配管で結ばれる。
【００１５】
これら給水接続部６、給湯接続部７、排水接続部８の３箇所の各接続部と、位置合わせガイド５とは、互いに固定可能なロック機構を備えるなどした、相互に位置合わせおよび簡単に着脱可能な固定機構が設けられて、位置合わせガイド部を係合させることにより、各接続部が容易に接続できる様にされているとともに、接続した後に位置合わせ部同士の係合をはずすことにより、脱着することができるようにされている。
トラップ４を設備ユニット１側に設けることによって、設備機器に応じたトラップを使用することが可能である。例えばトイレは便器内にも設けられたＵトラップを使用し、キッチンシンクは排水口直下に設けられたトラップを使用することが可能である。また、排水詰まりが発生した場合、シンク等の中に水が溜まって流下しなくなるため、詰まりの発生を発見しやすくなり、その際にも床面などに水をこぼす恐れがない。
【００１６】
図２は、本発明に使われる埋設ユニットの一例の模式図である。
図２に示すように、この埋設ユニット１１は、床９の下に設けられる。床下には、給水管１２、給湯管１３、排水管１４が敷設されており、各々埋設ユニット１１における給水接続部１６、給湯接続部１７、排水接続部１８の３箇所の各接続部に結ばれている。給水接続部１６、給湯接続部１７、排水接続部１８の３箇所の各接続部と、位置合わせガイドの受け溝１５は、埋設ユニット１１以外の複数の埋設ユニットと同一の配列状態で配設される。また、これらは、設備ユニットの位置合わせガイド５と、前記位置合わせガイドの受け溝１５とを係合させることにより、設備ユニット１の給水接続部６、給湯接続部７、排水接続部８の３箇所の各接続部と容易に接続できる。又、接続したものを位置合わせガイド５と位置合わせガイド受け溝１５との係合をはずすことにより、脱着することができる。設備ユニット１以外の複数の設備ユニット、つまり、洗面台、風呂、トイレなどの設備ユニットにおいても同様になされる。埋設ユニット１１は、未使用時に用いる気密性を有する防臭蓋２０が備えられており、また、排水接続部１８にも未使用時に用いる気密性を有する防臭蓋１９が備えられている。
【００１７】
図３は、本発明に使われる埋設ユニットに設備ユニットを接続した一例の模式図である。
図３に示すように、設備ユニット１は、キャスター１０で居住空間内で床９の上を移動させて埋設ユニット１１に近接される。防臭蓋２０及び排水接続部１８の防臭蓋１９は、取り外し、設備ユニットの位置合わせガイド部５を埋設ユニット位置合わせガイドの受け溝１５に係合させることにより、設備ユニットの各接続部、給水接続部６、給湯接続部７、排水接続部８が各々埋設ユニット１１における給水接続部１６、給湯接続部１７、排水接続部１８の３箇所の各接続部に接続される。
これら各々の接続部と位置合わせガイド部は、互いに固定可能なロック機構を備えるなどした、相互に位置合わせおよび簡単に着脱可能な固定機構が設けられて、位置合わせガイド部を係合させることにより、各接続部が容易に接続できる。
【００１８】
図４は、本発明の排水接続部の構造の一例を説明する模式図である。
排水接続部について、埋設ユニットに設けられた排水接続部１８（差し口）と設備側ユニットに設けられた排水接続部８（受け口）の間に、パッキン等のシール材２２を介在させ管路内が気密性を備えた状態で接続される構造を示す。
パッキンの形態は受け口の内面または差し口の外面に設けられた軸シール形状または、両管口の端面に設置された面シール形状のいずれでも良い。
【００１９】
【発明の効果】
本発明は、上記のとおり構成されており、位置合わせガイド部同士を着脱自在に係合させることにより、複数の設備ユニットのいずれもが複数の埋設ユニットとのいずれとも接続が容易で、トイレ、キッチン、洗面台、風呂などの設備ユニットを、居住空間内で選択して移動させて使用可能であり、排水部の排水や汚物の流下による臭気などの点について問題がない、住宅用移動式給排水設備システムを提供できる。
【００２０】
【図面の簡単な説明】
【図１】図１は、本発明に使われる設備ユニットの一例の説明図であり、一般的な台所キッチンの場合を示す模式図である。
【図２】図２は、本発明に使われる埋設ユニットの一例の模式図である。
【図３】図３は、本発明に使われる埋設ユニットに設備ユニットを接続した一例の模式図である。
【図４】本発明の排水接続部の構造の一例を説明する模式図である。
【００２１】
【符号の説明】
１  設備ユニット
２  混合水栓
３  シンク
４  トラップ
５  位置合わせガイド
６  給水接続部
７  給湯接続部
８  排水接続部
９  床
１０  キャスター
１１  埋設ユニット
１２  給水管
１３    給湯管
１４  排水管
１５  位置合わせガイド受け溝
１６  給水接続部
１７  給湯接続部
１８  排水接続部
１９  防臭蓋（排水接続部）
２０  防臭蓋（埋設ユニット）
２１  コンクリート基盤
２２  シール材
【図１】
2004176305.tif 000003
【図２】
2004176305.tif 000004
【図３】
2004176305.tif 000005
【図４】
2004176305.tif 000006